(57)【要約】【課題】データ送受信時に、送信側において、受信側に生じた処理の停滞原因を簡便に把握する。【解決手段】電子機器１０は、ＣＰＵ１００とネットワークアダプター４００とを備え、ＣＰＵ１００において同時に複数のプログラムが実行可能であるとともに、ネットワークアダプター４００によってネットワークに接続可能である。電子機器１０のＣＰＵ１００にて実行されるあるプログラム１２０は、ネットワークに接続する他の電子機器において処理される所定のデータを生成するデータ生成部１２２と、データ生成部１２２が生成した所定のデータを、ネットワークを介して他の電子機器に送信するデータ送信部１２３と、データ送信部１２３が送信する所定のデータのデータ量及び送信時間に基づいて当該プログラムによるネットワークの使用帯域を算出する自使用帯域算出部１２５を備える。【選択図】図２
2013225803.tif 000002
【特許請求の範囲】
【請求項１】
通信部を備え、前記通信部によってネットワークに接続可能である電子機器に、
前記ネットワークに接続する他の電子機器において処理される所定のデータを生成するデータ生成ステップと、
前記データ生成ステップにて生成した前記所定のデータを、前記ネットワークを介して前記他の電子機器に送信するデータ送信ステップと
を実行させるプログラムであって、
前記データ送信ステップにて送信する前記所定のデータのデータ量及び送信時間に基づいて当該プログラムによる前記ネットワークの使用帯域を算出する自使用帯域算出ステップを
更に実行させることを特徴とするプログラム。
【請求項２】
前記電子機器に、
当該電子機器全体による前記ネットワークの使用帯域の算出値を取得する算出値取得ステップと、
前記算出値取得ステップにて取得した当該電子機器全体による前記ネットワークの使用帯域の算出値、及び、前記自使用帯域算出ステップにて算出した当該プログラムによる前記ネットワークの使用帯域の算出値に基づいて、使用帯域に関する表示情報を作成する表示情報作成ステップと
を更に実行させることを特徴とする請求項１に記載のプログラム。
【請求項３】
前記使用帯域に関する表示情報は、
前記通信部の通信能力に対する当該電子機器全体による前記ネットワークの使用帯域の割合、及び、前記通信部の通信能力に対する当該プログラムによる前記ネットワークの使用帯域の割合をグラフ化した表示情報である
ことを特徴とする請求項２に記載のプログラム。
【請求項４】
前記使用帯域に関する表示情報は、
前記通信部の通信能力に対する当該電子機器全体による前記ネットワークの使用帯域の割合、及び、当該電子機器全体による前記ネットワークの使用帯域に対する当該プログラムによる前記ネットワークの使用帯域の割合をグラフ化した表示情報である
ことを特徴とする請求項２に記載のプログラム。
【請求項５】
前記電子機器は、同時に複数のプログラムが実行可能な処理部を備え、
前記電子機器に、
当該プログラムによる前記処理部への負荷の算出値を取得する算出値取得ステップと、
前記算出値取得ステップにて取得した当該プログラムによる前記処理部への負荷の算出値、及び、前記自使用帯域算出ステップにて算出した当該プログラムによる前記ネットワークの使用帯域の算出値に基づいて、前記処理部の処理能力に対する当該プログラムによる前記処理部への負荷の割合、及び、前記通信部の通信能力に対する当該プログラムによる前記ネットワークの使用帯域の割合をグラフ化した稼動状況に関する表示情報を作成する表示情報作成ステップと
を更に実行させることを特徴とする請求項１に記載のプログラム。
【請求項６】
前記電子機器は、同時に複数のプログラムが実行可能な処理部を備え、
前記電子機器に、
当該電子機器全体による前記ネットワークの使用帯域の算出値、当該電子機器全体による前記処理部への負荷の算出値、当該プログラムによる前記処理部への負荷の算出値、及び、前記通信部の通信に利用される電波の電波強度の算出値を取得する算出値取得ステップと、
前記算出値取得ステップにて取得した前記算出値、及び、前記自使用帯域算出ステップにて算出した当該プログラムによる前記ネットワークの使用帯域の算出値に基づいて、稼働状況に関する表示情報を作成する表示情報作成ステップと
を更に実行させることを特徴とする請求項１に記載のプログラム。
【請求項７】
前記稼働状況に関する表示情報は、
前記処理部の処理能力に対する当該電子機器全体による前記処理部への負荷の割合、前記通信部の通信能力に対する当該電子機器全体による前記ネットワークの使用帯域の割合、当該電子機器全体による前記処理部への負荷に対する当該プログラムによる前記処理部への負荷の割合、当該電子機器全体による前記ネットワークの使用帯域に対する当該プログラムによる前記ネットワークの使用帯域の割合、及び、最大の電波強度に対する前記算出値の割合をグラフ化した表示情報である
ことを特徴とする請求項６に記載のプログラム。
【請求項８】
前記表示情報作成ステップは、
時系列の前記表示情報を作成する
ことを特徴とする請求項２乃至請求項７の何れか１項に記載のプログラム。
【請求項９】
前記表示情報作成ステップは、
稼働状況に応じたメッセージを含む前記表示情報を作成する
ことを特徴とする請求項２乃至請求項８の何れか１項に記載のプログラム。
【請求項１０】
請求項１乃至請求項９に記載の何れか１項に記載のプログラムを記憶することを特徴とする記憶媒体。
【請求項１１】
通信部を備え、前記通信部によってネットワークに接続可能である電子機器における使用帯域算出方法であって、
前記ネットワークに接続する他の電子機器において処理される所定のデータを生成するデータ生成ステップと、
前記データ生成ステップにて生成した前記所定のデータを、前記ネットワークを介して前記他の電子機器に送信するデータ送信ステップと、
前記データ送信ステップにて送信する前記所定のデータのデータ量及び送信時間に基づいて、前記所定のデータの送信処理による前記ネットワークの使用帯域を算出する自使用帯域算出ステップとを
有することを特徴とする使用帯域算出方法。
【発明の詳細な説明】
【技術分野】
【０００１】
本発明は、プログラム、記憶媒体及び使用帯域算出方法に関するものである。
【背景技術】
【０００２】
従来、パーソナルコンピューター（ＰＣ）とプロジェクターとを含む画像転送システムが知られている（例えば、特許文献１参照）。特許文献１に記載のＰＣは、画像転送用のプログラム（アプリケーション）を保持し、当該プログラムを実行して、表示部に表示している画像をプロジェクターに転送する。
【先行技術文献】
【特許文献】
【０００３】
【特許文献１】特開２０１１−１２３１２７号公報
【発明の概要】
【発明が解決しようとする課題】
【０００４】
しかしながら、特許文献１に記載の画像転送システムのように、ＰＣからプロジェクターに画像データを転送するシステムにおいて、プロジェクター側の処理（例えば、ＰＣ上の表示画像の順次書き換えに伴う投影画像の更新処理）が停滞した場合に、簡便に処置の方針を決定できないという問題がある。
【０００５】
例えば、プロジェクターの処理が停滞した場合に、当該ＰＣにおいて実行中の他のプログラム（画像転送用のプログラム以外のプログラム）によるＣＰＵの負荷が非常に高ければ、当該他のプログラムを終了するという対応策が考えられる。一方、当該ＰＣにおいて実行中の画像転送用のプログラムによるＣＰＵの負荷が非常に高ければ、当該ＰＣの増強等の検討が必要になる。
また、プロジェクターの処理が停滞した場合に、当該ＰＣにおいて実行中の上記他のプログラムによる通信（又は、当該ネットワークを使用する他のＰＣによる通信）によってネットワークが混雑していれば、上記他のプログラムによる通信（又は、上記他のＰＣによる通信）を一時的に控えるといった対応策も考えられる。一方、当該ＰＣにおいて実行中の画像転送用のプログラムによる通信によってネットワークが混雑していれば、当該ネットワークの増強等の検討が必要になる。
【０００６】
ところが、ＣＰＵの負荷ではなくネットワークの混雑が原因でプロジェクターの処理が停滞していると判断できた場合であっても、画像転送用のプログラムの通信による影響であるのか、他のプログラムの通信による影響であるのかを簡便に判断できないため、簡便に処置の方針を決定できないという問題がある。
【０００７】
本発明はこのような事情に鑑みてなされたものであって、データ送受信時に、送信側において、受信側に生じた処理の停滞原因を簡便に把握することができる技術を提供する。
【課題を解決するための手段】
【０００８】
上記問題を解決するために、本発明の一態様であるプログラムは、通信部を備え、前記通信部によってネットワークに接続可能である電子機器に、前記ネットワークに接続する他の電子機器において処理される所定のデータを生成するデータ生成ステップと、前記データ生成ステップにて生成した前記所定のデータを、前記ネットワークを介して前記他の電子機器に送信するデータ送信ステップとを実行させるプログラムであって、前記データ送信ステップにて送信する前記所定のデータのデータ量及び送信時間に基づいて当該プログラムによる前記ネットワークの使用帯域を算出する自使用帯域算出ステップを更に実行させることを特徴とする。
上記構成によれば、データを生成しネットワークを介してデータを送信するプログラム自体が、自身によるネットワークの使用帯域の数値を算出するため、データ送信側（当該プログラムを実行する電子機器、又は、当該電子機器から上記算出値を取得する他の電子機器）において、受信側に生じた処理の停滞原因を簡便に把握することができる。従って、簡便に処置の方針を決定し、適切な対応を採ることができる。
【０００９】
上記プログラムは、前記電子機器に、当該電子機器全体による前記ネットワークの使用帯域の算出値を取得する算出値取得ステップと、前記算出値取得ステップにて取得した当該電子機器全体による前記ネットワークの使用帯域の算出値、及び、前記自使用帯域算出ステップにて算出した当該プログラムによる前記ネットワークの使用帯域の算出値に基づいて、使用帯域に関する表示情報を作成する表示情報作成ステップとを更に実行させるようにしてもよい。
上記構成によれば、データを生成しネットワークを介してデータを送信するプログラム自体が、ネットワークの使用帯域に関する表示情報を作成するため、より簡便に、受信側に生じた処理の停滞原因を把握することができる。また、受信側に生じた処理の停滞原因を把握する際に、ネットワークの状況を診断するソフトウェア等を別途実行させる必要がないため、ユーザーの負担を軽減させることができる。
【００１０】
上記プログラムにおいて、前記使用帯域に関する表示情報は、前記通信部の通信能力に対する当該電子機器全体による前記ネットワークの使用帯域の割合、及び、前記通信部の通信能力に対する当該プログラムによる前記ネットワークの使用帯域の割合をグラフ化した表示情報であってもよい。
上記構成によれば、当該プログラムを実行する電子機器全体のネットワーク使用率、当該プログラム単体のネットワーク使用率が一見して分かるため、より簡便に、受信側に生じた処理の停滞原因を把握することができる。
【００１１】
上記プログラムにおいて、前記使用帯域に関する表示情報は、前記通信部の通信能力に対する当該電子機器全体による前記ネットワークの使用帯域の割合、及び、当該電子機器全体による前記ネットワークの使用帯域に対する当該プログラムによる前記ネットワークの使用帯域の割合をグラフ化した表示情報であってもよい。
上記構成によれば、当該プログラムを実行する電子機器全体のネットワーク使用率、電子機器全体に占める当該プログラムのネットワークへの負担の割合が一見して分かるため、より簡便に、受信側に生じた処理の停滞原因を把握することができる。
【００１２】
上記プログラムは、前記電子機器は、同時に複数のプログラムが実行可能な処理部を備え、前記電子機器に、当該プログラムによる前記処理部への負荷の算出値を取得する算出値取得ステップと、前記算出値取得ステップにて取得した当該プログラムによる前記処理部への負荷の算出値、及び、前記自使用帯域算出ステップにて算出した当該プログラムによる前記ネットワークの使用帯域の算出値に基づいて、前記処理部の処理能力に対する当該プログラムによる前記処理部への負荷の割合、及び、前記通信部の通信能力に対する当該プログラムによる前記ネットワークの使用帯域の割合をグラフ化した稼働状況に関する表示情報を作成する表示情報作成ステップとを更に実行させるようにしてもよい。
上記構成によれば、データを生成しネットワークを介してデータを送信するプログラム自体が作成する稼働状況に関する表示情報によって、当該プログラム単体の処理部への負荷（ＣＰＵ使用率）、当該プログラム単体のネットワーク使用率が一見して分かるため、より簡便に、受信側に生じた処理の停滞原因を把握することができる。また、受信側に生じた処理の停滞原因を把握する際に、ネットワークの状況を診断するソフトウェア等を別途実行させる必要がないため、ユーザーの負担を軽減させることができる。
【００１３】
上記プログラムは、前記電子機器は、同時に複数のプログラムが実行可能な処理部を備え、前記電子機器に、当該電子機器全体による前記ネットワークの使用帯域の算出値、当該電子機器全体による前記処理部への負荷の算出値、当該プログラムによる前記処理部への負荷の算出値、及び、前記通信部の通信に利用される電波の電波強度の算出値を取得する算出値取得ステップと、前記算出値取得ステップにて取得した前記算出値、及び、前記自使用帯域算出ステップにて算出した当該プログラムによる前記ネットワークの使用帯域の算出値に基づいて、稼働状況に関する表示情報を作成する表示情報作成ステップとを更に実行させるようにしてもよい。
上記構成によれば、データを生成しネットワークを介してデータを送信するプログラム自体が、より詳しい稼働状況に関する表示情報を作成するため、より簡便に、受信側に生じた処理の停滞原因を把握することができる。また、受信側に生じた処理の停滞原因を把握する際に、ネットワークの状況を診断するソフトウェア等を別途実行させる必要がないため、ユーザーの負担を軽減させることができる。
【００１４】
上記プログラムにおいて、前記稼働状況に関する表示情報は、前記処理部の処理能力に対する当該電子機器全体による前記処理部への負荷の割合、前記通信部の通信能力に対する当該電子機器全体による前記ネットワークの使用帯域の割合、当該電子機器全体による前記処理部への負荷に対する当該プログラムによる前記処理部への負荷の割合、当該電子機器全体による前記ネットワークの使用帯域に対する当該プログラムによる前記ネットワークの使用帯域の割合、及び、最大の電波強度に対する前記算出値の割合をグラフ化した表示情報であってもよい。
上記構成によれば、上述のような詳細な情報が一見して分かるため、より簡便に、かつ、正確に、受信側に生じた処理の停滞原因を把握することができる。
【００１５】
上記プログラムにおいて、前記表示情報作成ステップは、時系列の前記表示情報を作成するようにしてもよい。
上記構成によれば、過去の履歴を参考にして、受信側に生じた処理の停滞原因を把握することができる。
【００１６】
上記プログラムにおいて、前記表示情報作成ステップは、稼働状況に応じたメッセージを含む前記表示情報を作成するようにしてもよい。
上記構成によれば、メッセージを参考にして、処置の方針を決定し、適切な対応を採ることができる。
【００１７】
上記問題を解決するために、本発明の他の態様である記憶媒体は、上記プログラムを記憶することを特徴とする。
上記構成によれば、上述の効果を得ることができる。
【００１８】
上記問題を解決するために、本発明の他の態様である使用帯域算出方法は、通信部を備え、前記通信部によってネットワークに接続可能である電子機器における使用帯域算出方法であって、前記ネットワークに接続する他の電子機器において処理される所定のデータを生成するデータ生成ステップと、前記データ生成ステップにて生成した前記所定のデータを、前記ネットワークを介して前記他の電子機器に送信するデータ送信ステップと、前記データ送信ステップにて送信する前記所定のデータのデータ量及び送信時間に基づいて、前記所定のデータの送信処理による前記ネットワークの使用帯域を算出する自使用帯域算出ステップとを有することを特徴とする。
上記構成によれば、上述の効果を得ることができる。
【図面の簡単な説明】
【００１９】
【図１】本発明の実施形態によるプログラムを実装したパーソナルコンピューターを含む画像転送システムの構成例である。
【図２】本発明の実施形態によるプログラムを実装したパーソナルコンピューターの構成例である。
【図３】ディスプレイに表示される表示画面の一例である。
【図４】本発明の実施形態によるプログラムを実装したパーソナルコンピューターの動作の一例を示すフローチャートである。
【図５】ディスプレイに表示される表示画面の他の一例である。
【図６】メッセージ記憶部に記憶される情報の一例及び表示画面の一例である。
【発明を実施するための形態】
【００２０】
以下、本発明の実施形態について図面を参照して詳細に説明する。図１は、本発明の実施形態によるプログラムを実装したパーソナルコンピューター（ＰＣ）を含む画像転送システムの構成例である。画像転送システム１は、図１に示すように、本発明の実施形態によるプログラムを実装した少なくとも１台のＰＣを含むＮ（Ｎは自然数）台のＰＣ（ＰＣ１０−１、…、ＰＣ１０−Ｋ、…ＰＣ１０−Ｎ）と、ネットワーク機器２０と、プロジェクター（表示装置）３０とを含む。以下、本発明の実施形態によるプログラムを実装したＰＣをＰＣ１０と称する。
【００２１】
ＰＣ１０は、キーボード２００、マウス２１０、ディスプレイ３００、ネットワークアダプター４００を備える。ＰＣ１０は、ネットワークアダプター４００によって、無線ネットワーク９０又は有線ネットワーク９１を介して、ネットワーク機器２０と通信する。
【００２２】
ネットワーク機器２０は、例えばルーターであって、無線ネットワーク９０又は有線ネットワーク９１を介してデータ（例えば、画像データ）を送受信する。ＰＣ１０は、ネットワーク機器２０を介して、データ（例えば、画像データ）をプロジェクター３０に送信する。プロジェクター３０は、画像（例えば、ＰＣ１０から送信された画像データによる画像）を投影面（例えば、スクリーンや壁面など）に投影する。
【００２３】
なお、画像転送システム１において、ネットワーク機器２０−プロジェクター３０間のネットワークは、無線であってもよい。また、画像転送システム１は、２台以上のネットワーク機器２０を備えていてもよい。また、画像転送システム１は、ＰＣ１０、ネットワーク機器２０、プロジェクター３０以外の電子機器を含んでいてもよく、例えば、ネットワーク機器２０に接続する上記以外の電子機器（例えば、サーバー、複合機）を含んでいてもよい。
【００２４】
図２は、本発明の実施形態によるプログラムを実装したパーソナルコンピューターの構成例である。ＰＣ１０は、図２に示すように、上述のキーボード２００、マウス２１０、ディスプレイ３００、ネットワークアダプター４００に加え、ＣＰＵ１００、記憶部９００を備える。記憶部９００は、例えば、ハードディスクである。記憶部９００は、例えば、ＯＳ１１０、アプリケーションプログラム１２０を記憶する。
【００２５】
ＣＰＵ１００は、ＰＣ１０全体の処理を実行する。例えば、ＣＰＵ１００は、記憶部９００から読み出されたＯＳ１１０によって提供される機能（例えば、下記のＯＳ１１０内の各部の機能）に基づく処理、アプリケーションプログラム１２０によって提供される機能（例えば、下記のアプリケーションプログラム１２０内の各部の機能）に基づく処理を実行する。なお、ＣＰＵ１００内にＯＳ１１０及びアプリケーションプログラム１２０を図示しているが、これは、ＯＳ１１０及びアプリケーションプログラム１２０が記憶部９００から読み出された状態である旨、即ち、ＣＰＵ１００がＯＳ１１０及びアプリケーションプログラム１２０によって提供される機能に基づく処理を実行する旨を表している。
【００２６】
ＯＳ１１０は、図２に示すように、全使用帯域算出部１１１、負荷算出部１１２、電波強度算出部１１３を備える。なお詳細は後述する。また、ＯＳ１１０は、上記に加え、記憶部９００に記憶されている複数のアプリケーションによって共通して利用される各機能（例えば、キーボード２００、マウス２１０とのインターフェースに関係する入力制御機能、ディスプレイ３００とのインターフェースに関係する出力制御機能、ネットワークアダプター４００とのインターフェースに関係する通信制御機能、記憶部９００へのアクセス機能）を提供する。
【００２７】
アプリケーションプログラム１２０は、記憶部９００に記憶されている複数のアプリケーションプログラムの１つである。アプリケーションプログラム１２０は、図２に示すように、指示受付部１２１、データ生成部１２２、データ送信部１２３、算出値取得部１２４、自使用帯域算出部１２５、表示情報作成部１２６、送信実績記憶部１２７、算出値記憶部１２８、及び、表示形式記憶部１２９を備える。なお詳細は後述する。
【００２８】
なお、図２において、記憶部９００に記憶されている複数のアプリケーションプログラムのうち１つのアプリケーションプログラム（アプリケーションプログラム１２０）をＣＰＵ１００内に図示したが、ＰＣ１０のＣＰＵ１００は、同時に複数のアプリケーションプログラムが実行可能である。つまり、ＰＣ１０は、同時に複数のプログラムが実行可能な処理部であるＣＰＵ１００と、通信部であるネットワークアダプター４００によってネットワークに接続可能な電子機器である。
【００２９】
指示受付部１２１は、キーボード２００、マウス２１０を介してユーザーの指示を受け付ける。例えば、指示受付部１２１は、画像の転送開始／転送終了の指示、稼働状況の表示開始／表示終了の指示を受け付ける。
【００３０】
データ生成部１２２は、ネットワーク９０（９１）に接続する他の電子機器において処理される所定のデータを生成する。例えば、データ生成部１２２は、指示受付部１２１が画像の転送開始の指示を受け付けた場合に、ディスプレイ３００に表示されている画像をキャプチャし、プロジェクター３０において投影される画像データを生成する。
【００３１】
データ送信部１２３は、データ生成部１２２が生成したデータをネットワークアダプター４００に出力することによって、ネットワーク９０（９１）を介して他の電子機器に送信する。例えば、データ送信部１２３は、データ生成部１２２が生成した画像データをネットワークアダプター４００に出力することによって、ネットワーク９０（９１）を介してプロジェクター３０に送信する。また、データ送信部１２３は、送信データのデータ量及び送信時間を送信実績記憶部１２７に記憶する。
【００３２】
自使用帯域算出部１２５は、データ送信部１２３が送信する所定のデータ（例えば、画像データ）のデータ量及び送信時間に基づいて、当該アプリケーションプログラム１２０によるネットワーク９０（９１）の使用帯域（「本アプリの使用帯域」と称する）を算出する。つまり、自使用帯域算出部１２５は、送信実績記憶部１２７に記憶されているデータ量及び送信時間に基づいて本アプリの使用帯域を算出する。具体的には、自使用帯域算出部１２５は、データ量を送信時間で除して本アプリの使用帯域を算出する。なお、自使用帯域算出部１２５は、ある瞬間における使用帯域の値を算出してもよいし、ある時間内における使用帯域の値を算出してもよい。例えば、自使用帯域算出部１２５は、１画面分の画像データのデータ量を、当該１画面分の画像データの送信開始から送信完了迄の時間で除して本アプリの使用帯域を算出してもよいし、１画面の一部分の画像データのデータ量を、当該一部分の画像データの送信開始から送信完了迄の時間で除して本アプリの使用帯域を算出してもよいし、複数画面分の画像データのデータ量を、最初に送信した画面の画像データの送信開始から最後に送信した画像の送信完了迄の時間で除して本アプリの使用帯域を算出してもよい。自使用帯域算出部１２５は、本アプリの使用帯域の算出値を算出値記憶部１２８に記憶する。
【００３３】
ここで、「使用帯域」とは、データの送受信に使用される帯域であって、具体的には、単位時間あたりに送受信されるデータ量である。例えば、ＰＣ１０からプロジェクター３０にデータを送信する場合には、単位時間あたりに送信されるデータ量である。なお、「使用帯域」はこの定義に限定されず、これに類する他の値であってもよい。
【００３４】
算出値取得部１２４は、当該ＰＣ１０全体によるネットワークの使用帯域（「ＰＣ全体の使用帯域」と称する）の算出値を取得する。具体的には、算出値取得部１２４は、全使用帯域算出部１１１に問い合せて、全使用帯域算出部１１１からＰＣ全体の使用帯域の算出値を取得する。算出値取得部１２４は、ＰＣ全体の使用帯域の算出値を算出値記憶部１２８に記憶する。
【００３５】
なお、全使用帯域算出部１１１は、例えば、ネットワークアダプター４００を監視して、ＰＣ全体の使用帯域を算出し、算出値を保持しておく。全使用帯域算出部１１１は、算出値取得部１２４からの問い合わせに応じて保持している算出値を算出値取得部１２４に出力する。また、本アプリの使用帯域の算出値を算出する際の基準となる時間（データ量を除すときの時間）と、ＰＣ全体の使用帯域の算出値を算出する際の基準となる時間（データ量を除すときの時間）とを揃えておくことが好ましい。
【００３６】
また、算出値取得部１２４は、当該ＰＣ１０全体によるＣＰＵ１００への負荷（「ＰＣ全体の負荷」と称する）の算出値、及び、当該アプリケーションプログラム１２０よるＣＰＵ１００への負荷（「本アプリの負荷」と称する）の算出値を取得する。具体的には、算出値取得部１２４は、負荷算出部１１２に問い合せて負荷算出部１１２からＰＣ全体の負荷の算出値、及び、本アプリの負荷の算出値を取得する。算出値取得部１２４は、ＰＣ全体の負荷の算出値、本アプリの負荷の算出値を算出値記憶部１２８に記憶する。
【００３７】
なお、負荷算出部１１２は、例えば、ＣＰＵ１００を監視して、ＰＣ全体の負荷、本アプリの負荷を算出し、算出値を保持しておく。負荷算出部１１２は、算出値取得部１２４からの問い合わせに応じて保持している算出値を算出値取得部１２４に出力する。
【００３８】
また、ＰＣ１０が無線ネットワーク９０を利用する場合には、算出値取得部１２４は、ネットワークアダプター４００による通信に利用される電波の電波強度の算出値を取得する。具体的には、算出値取得部１２４は、電波強度算出部１１３に問い合せて負荷算出部１１２から上記電波強度を取得する。算出値取得部１２４は、電波強度の算出値を算出値記憶部１２８に記憶する。
【００３９】
なお、電波強度算出部１１３は、例えば、無線ネットワーク９０の電波を監視して、電波強度を算出し、算出値を保持しておく。電波強度算出部１１３は、算出値取得部１２４からの問い合わせに応じて保持している算出値を算出値取得部１２４に出力する。
【００４０】
算出値記憶部１２８は、算出値取得部１１４が取得した算出値（ＰＣ全体の負荷の算出値、ＰＣ全体の使用帯域の算出値、本アプリの負荷の算出値、電波強度の算出値）、自使用帯域算出部１１５が算出した算出値（本アプリの使用帯域の算出値）を記憶する。また、算出部記憶部１２８は、ＣＰＵ１００の処理能力、ネットワークアダプター４００の通信能力、最大の電波強度（快適な無線通信を実現する無線強度）の各値を記憶する。
【００４１】
ここで、「通信能力」とは、データを送受信する能力であって、具体的には、単位時間あたりに送受信可能なデータ量である。例えば、ＰＣ１０からプロジェクター３０にデータを送信する場合には、単位時間あたりに送信可能なデータ量である。なお、「通信能力」はこの定義に限定されず、これに類する他の値であってもよい。
【００４２】
表示形式記憶部１２９は、稼働状況に関する表示情報を作成する際に使用する表示形式（画面レイアウト情報）を記憶する。なお、稼働状況に関する表示情報には、ネットワーク９０（９１）の使用帯域に関する表示情報と、ＣＰＵ１００の負荷の状況に関する表示情報が含まれる。
【００４３】
表示情報作成部１２６は、算出値取得部１１４が取得した算出値、自使用帯域算出部１１５が算出した算出値に基づいて稼働状況に関する表示情報を作成する。
【００４４】
具体的には、まず、表示情報作成部１２６は、算出部記憶部１２８に記憶されている算出値等（ＰＣ全体の負荷の算出値、ＰＣ全体の使用帯域の算出値、本アプリの負荷の算出値、電波強度の算出値、本アプリの使用帯域の算出値、ＣＰＵ１００の処理能力の値、ネットワークアダプター４００の通信能力の値、最大の電波強度の値）に基づいて以下の指標１、指標２、指標３、指標４、指標５を計算する。
【００４５】
（指標１）
指標１は、ＣＰＵ１００の処理能力に対するＰＣ全体の負荷の割合（ＰＣ１０全体のＣＰＵ使用率）である。表示情報作成部１２６は、ＰＣ全体の負荷の算出値をＣＰＵ１００の処理能力の値で除して指標１を算出する。
（指標２）
指標２は、ネットワークアダプター４００の通信能力に対するＰＣ全体の使用帯域の割合（ＰＣ１０全体のネットワーク使用率）である。表示情報作成部１２６は、ＰＣ全体の使用帯域の算出値をネットワークアダプター４００の通信能力の値で除して指標２を算出する。
（指標３）
指標３は、ＰＣ全体の負荷に対する本アプリの負荷の割合である。表示情報作成部１２６は、本アプリの負荷の算出値をＰＣ全体の負荷の算出値で除して指標３を算出する。
（指標４）
指標４は、ＰＣ全体の使用帯域に対する本アプリの使用帯域の割合である。表示情報作成部１２６は、本アプリの使用帯域の算出値をＰＣ全体の使用帯域の算出値で除して指標４を算出する。
（指標５）
指標５は、最大の電波強度に対する算出値の割合である。表示情報作成部１２６は、電波強度の算出値を最大の電波強度の値で除して指標５を算出する。
【００４６】
続いて、表示情報作成部１２６は、表示形式記憶部１２９に記憶されている表示形式（画面レイアウト情報）に従って、上述の指標１〜指標５をグラフ化した表示情報を作成する。
【００４７】
なお、表示情報作成部１２６は、今回計算した指標１〜指標５を用いて、現在の稼働状況をグラフ化した表示情報を作成してもよいし、今回迄又は前回迄の各回に計算した指標１〜指標５を用いて、稼働状況の履歴を時系列にグラフ化した表示情報を作成してもよい。
【００４８】
表示情報作成部１２６は、上述の如く作成した表示情報をディスプレイ３００に出力する。図３は、ディスプレイに表示される表示画面の一例である。図３（ａ）及び図３（ｂ）は、表示形式記憶部１２９に記憶されている、ある表示形式による表示情報に基づく表示画面の一例である。
【００４９】
図３（ａ）は、現在の稼働状況を表している。図３（ａ）内の文言「ＰＣ全体の負荷」は、「ＣＰＵ１００の処理能力に対するＰＣ全体の負荷の割合（即ち、指標１）」を省略して記載したものである。つまり、文言「ＰＣ全体の負荷」の右端の数値「９１％」は、指標１の計算値である。また、文言「ＰＣ全体の負荷」と数値「９１％」の間のグラフは、指標１の計算値「９１％」のおおよその大きさが一見して分かるようにグラフ化したものである。
【００５０】
文言「ＰＣ全体の使用帯域」は、「ネットワークアダプター４００の通信能力に対するＰＣ全体の使用帯域の割合（即ち、指標２）」を省略した記載したものである。つまり、文言「ＰＣ全体の使用帯域」の右端の数値「４２％」は、指標２の計算値である。また、文言「ＰＣ全体の使用帯域」と数値「４２％」の間のグラフは、指標２の計算値「４２％」のおおよその大きさが一見して分かるようにグラフ化したものである。
【００５１】
文言「本アプリの負荷」は、「ＰＣ全体の負荷に対する本アプリの負荷の割合（即ち、指標３）」を省略して記載したものである。つまり、文言「本アプリの負荷」の右端の数値「３３％」は、指標３の計算値である。また、文言「本アプリの負荷」と数値「３３％」の間のグラフは、指標３の計算値「３３％」のおおよその大きさが一見して分かるようにグラフ化したものである。
【００５２】
文言「本アプリの使用帯域」は、「ＰＣ全体の使用帯域に対する本アプリの使用帯域の割合（即ち、指標４）」を省略して記載したものである。つまり、文言「本アプリの使用帯域」の右端の数値「１８％」は、指標４の計算値である。また、文言「本アプリの使用帯域」と数値「１８％」の間のグラフは、指標４の計算値「１８％」のおおよその大きさが一見して分かるようにグラフ化したものである。
【００５３】
同様に、図３（ａ）内の文言「電波強度」は、「最大の電波強度に対する算出値の割合（即ち、指標５）」を省略して記載したものである。つまり、文言「電波強度」の右端の数値「６０％」は、指標５の計算値である。また、文言「電波強度」と数値「６０％」の間のグラフは、指標５の計算値「６０％」のおおよその大きさが一見して分かるようにグラフ化したものである。
【００５４】
図３（ｂ）は、稼働状況の履歴を表している。図３（ｂ）のグラフは、今回迄の各回に計算した指標１〜指標５の計算値を時系列にプロットしている。なお、図３（ａ）の表示内容と図３（ｂ）の表示内容とは、画面上部のタグ「現在」「ヒストリー」によって切り替え可能である。
【００５５】
図４は、本発明の実施形態によるプログラムを実装したパーソナルコンピューターの動作の一例を示すフローチャートである。図４（ａ）のフローチャートは、例えば、指示受付部１２１が画像の転送開始の指示を受け付けた場合に開始する。図４（ｂ）のフローチャートは、例えば、周期的に開始する。
【００５６】
図４（ａ）において、データ生成部１２２は、ディスプレイ３００に表示している画像をキャプチャし、画像データを生成する（ステップＳ１０）。データ生成部１２２は、生成した画像データをデータ送信部１２３に出力する。データ送信部１２３は、データ生成部１２２から取得した画像データを、ネットワークアダプター４００を介してネットワーク９０（９１）上のプロジェクター３０に送信する（ステップＳ１２）。続いて、データ送信部１２３は、送信した画像データのデータ量及び送信時間を送信実績記憶部１２７に記憶する（ステップＳ１４）。図４（ａ）のフローチャートは終了する。
【００５７】
なお、画像データの生成単位及び送信単位は特に限定しない。例えば、データ生成部１２２はキャプチャした１画面の全体の画像データ（１画面分の画像データ）を生成し（ステップＳ１０）、データ送信部１２３は１画面分の画像データ毎に、又は、１画面分の画像データを分割して１画面の一部の画像データ毎にプロジェクター３０に送信してもよい（ステップＳ１２）。
また例えば、データ生成部１２２はキャプチャした１画面の一部分の画像データ（１画面の一部の画像データ）を生成し（ステップＳ１０）、データ送信部１２３は１画面の一部分の画像データ毎に、又は、一部分の画像データを１画面分に纏めて１画面分の画像データ毎に、プロジェクター３０に送信してもよい（ステップＳ１２）。
【００５８】
また、データ量及び送信時間の記憶単位は特に限定しない。例えば、データ送信部１２３は、画像データを、１画面分の画像データ毎にプロジェクター３０に送信する場合には、１画面分の画像データのデータ量及び送信時間を記憶してもよい。また例えば、データ送信部１２３は、画像データを、１画面の一部の画像データ毎にプロジェクター３０に送信する場合には、１画面の一部の画像データのデータ量及び送信時間を記憶してもよい。
【００５９】
図４（ｂ）において、算出値取得部１２４は、ＰＣ全体の使用帯域の算出値、ＰＣ全体の負荷の算出値、本アプリの負荷の算出値、電波強度の算出値を取得し（ステップＳ２０）、算出値記憶部１２８に記憶する（ステップＳ２２）。自使用帯域算出部１２５は、送信実績記憶部１２７に記憶されているデータ量及び送信時間に基づいて本アプリの使用帯域を算出し（ステップＳ２４）、算出値記憶部１２８に記憶する（ステップＳ２６）。
【００６０】
表示情報作成部１２６は、稼働状況の表示の要否を判断する（ステップＳ２８）。表示情報作成部１２６は、例えば、指示受付部１２１による稼働状況の表示開始の指示の受付後であって稼働状況の表示終了の指示の受付前は、稼働状況の表示は必要であると判断する。
【００６１】
稼働状況の表示は必要であると判断した場合（ステップＳ２８：Ｙｅｓ）、表示情報作成部１２６は、算出値記憶部１２８に記憶に記憶されている算出値に基づいて稼働状況に関する表示情報を作成する（ステップＳ３０）。具体的には、表示情報作成部１２６は、具体的には、まず、表示情報作成部１２６は、算出部記憶部１２８に記憶されている算出値に基づいて上記指標１〜指標５を計算し、続いて、表示形式記憶部１２９に記憶されている表示形式に従って、上記指標１〜指標５をグラフ化した表示情報を作成する。ステップＳ３０に続いて、表示情報作成部１２６は、上述の如く作成した表示情報をディスプレイ３００に出力する。ディスプレイ３００は、表示情報作成部１２６が作成した表示情報を表示する（ステップＳ３２）。そして、図４（ｂ）のフローチャートは終了する。
【００６２】
一方、稼働状況の表示は不要であると判断した場合（ステップＳ２８：Ｎｏ）、ステップＳ３０、ステップＳ３２を飛ばして、図４（ｂ）のフローチャートは終了する。
【００６３】
なお、図４（ｂ）のフローチャートにおいて、算出値取得部１２４の処理（ステップＳ２０、ステップＳ２２）と、自使用帯域算出部１２５による処理（ステップＳ２４、ステップＳ２６）の順序を入れ替えてもよい。
【００６４】
以上、アプリケーションプログラム１２０によれば、当該アプリケーションプログラム１２０自体が、ネットワーク９０、９１の稼動状況に関する表示情報を作成するため、ユーザーは、簡便に、プロジェクター３０側に生じた処理の停滞原因を把握することができる。また、稼動状況に関する表示情報を作成する迄の過程において、別のプログラム（例えば、ネットワークの状況を診断するソフトウェア、ＣＰＵ負荷を表示するソフトウェア）を別途起動させる必要がないため、ユーザーの負担を軽減させることができる。
【００６５】
なお、上記実施形態において、ＰＣ１０は、図３に示した表示画面をディスプレイ３００に表示し、稼働状況に関する表示情報として指標１〜指標５を表したが、他の表示画面によって指標１〜指標５を表してもよい。また、ＰＣ１０は、指標１〜指標５以外の値を稼働状況に関する表示情報として表してもよい。即ち、表示情報作成部１２６は、図３に示した稼働状況に関する表示情報を作成すると説明したが、図３に示した稼働状況に関する表示情報以外の稼働状況に関する表示情報を作成してもよい。
【００６６】
例えば、表示情報作成部１２６は、上記指標３に代えて又は加えて下記指標３’を計算してもよい。また、表示情報作成部１２６は、上記指標４に代えて又は加えて下記指標４’を計算してもよい。
【００６７】
（指標３’）
指標３’は、ＣＰＵ１００の処理能力に対する本アプリの負荷の割合（本アプリのＣＰＵ使用率）である。表示情報作成部１２６は、算出部記憶部１２８に記憶されている本アプリの負荷の算出値を、算出部記憶部１２８に記憶されているＣＰＵ１００の処理能力の値で除して指標３’を算出する。
【００６８】
（指標４’）
指標４’は、ネットワークアダプター４００の通信能力に対する本アプリの使用帯域の割合（本アプリのネットワーク使用率）である。表示情報作成部１２６は、算出部記憶部１２８に記憶されている本アプリの使用帯域の算出値を、ネットワークアダプター４００の通信能力の値で除して指標４’を算出する。
【００６９】
図５は、ディスプレイに表示される表示画面の他の一例である。なお、図３内の数値と図５内の数値とは夫々異なる場面の数値であって特に関連はない。
【００７０】
図５（ａ）及び図５（ｂ）は、表示形式記憶部１２９に記憶されている、ある表示形式（画面レイアウト情報）による表示情報に基づく表示画面の一例である。なお、表示形式記憶部１２９に複数種類の表示形式を記憶し、表示情報作成部１２６は、ユーザーの指示に応じて、使用する一の表示形式を選択するようにしてもよい。
【００７１】
図５（ａ）は、現在の稼働状況を表している。図５（ａ）の文言「ＣＰＵ使用率」の下のグラフ内の「Ｗｈｏｌｅ  Ｓｙｓｔｅｍ」は、「ＣＰＵ１００の処理能力に対するＰＣ全体の負荷の割合（即ち、指標１）」を表している。図５（ａ）の文言「ＣＰＵ使用率」の下のグラフ内の「Ｔｈｉｓ  Ａｐｐ」は、「ＣＰＵ１００の処理能力に対する本アプリの負荷の割合（即ち、指標３’）」を表している。図５（ａ）の文言「ネットワーク使用率」の下のグラフ内の「Ｗｈｏｌｅ  Ｓｙｓｔｅｍ」は、「ネットワークアダプター４００の通信能力に対するＰＣ全体の使用帯域の割合（即ち、指標２）」を表している。図５（ａ）の文言「ネットワーク使用率」の下のグラフ内の「Ｔｈｉｓ  Ａｐｐ」は、「ネットワークアダプター４００の通信能力に対する本アプリの使用帯域の割合（即ち、指標４’）」を表している。図５（ａ）の文言「ワイヤレスＬＡＮアダプター電波強度」は、「最大の電波強度に対する算出値の割合（即ち、指標５）」を表している。
【００７２】
図５（ｂ）は、稼働状況の履歴を表している。図５（ｂ）のグラフは、今回迄の各回に計算した指標１、指標２、指標３’、指標４’、指標５の計算値を時系列にプロットしている。なお、図５（ａ）の表示内容と図５（ｂ）の表示内容とは、画面上部のタグ「現在」「ヒストリー」によって切り替え可能である。
【００７３】
また、図３、図５に示した表示画面は、ネットワーク９０（９１）の使用帯域に関する表示情報、ＣＰＵ１００の負荷の状況に関する表示情報を含む稼働状況に関する表示情報を表したものであるが、ＰＣ１０は、ネットワーク９０（９１）の使用帯域に関する表示情報のみを表してもよい。
【００７４】
例えば、表示形式記憶部１２９は、ネットワーク９０（９１）の使用帯域に関する表示情報のみを表する表示形式（画面レイアウト情報）を記憶し、表示情報作成部１２６は、例えば、当該表示形式に従って、「ネットワークアダプター４００の通信能力に対するＰＣ全体の使用帯域の割合（即ち、指標２）」及び「ネットワークアダプター４００の通信能力に対する本アプリの使用帯域の割合（即ち、指標４’）を表示する表示情報を作成してもよい。また、表示情報作成部１２６は、例えば、上記表示形式に従って、「ネットワークアダプター４００の通信能力に対するＰＣ全体の使用帯域の割合（即ち、指標２）」及び「ＰＣ全体の使用帯域に対する本アプリの使用帯域の割合（即ち、指標４）」を表示する表示情報を作成してもよい。
【００７５】
また、図３、図５に示した表示画面は、ＰＣ全体に関する情報、本アプリに関する情報を含む稼働状況に関する表示情報を表しているが、ＰＣ１０は、本アプリに関する情報のみを表してもよい。
【００７６】
例えば、表示形式記憶部１２９は、本アプリに関する表示情報のみを表する表示形式（画面レイアウト情報）を記憶し、表示情報作成部１２６は、例えば、当該表示形式に従って、「ＣＰＵ１００の処理能力に対する本アプリの負荷の割合（即ち、指標３’）」及び「ネットワークアダプター４００の通信能力に対する本アプリの使用帯域の割合（即ち、指標４’）を表示する表示情報を作成してもよい。また、表示情報作成部１２６は、例えば、当該表示形式に従って、「ＰＣ全体の負荷に対する本アプリの負荷の割合（即ち、指標３）」及び「ＰＣ全体の使用帯域に対する本アプリの使用帯域の割合（即ち、指標４）」を表示する表示情報を作成してもよい。
【００７７】
また、上述したように、アプリケーションプログラム１２０によれば、ユーザーは、簡便に、プロジェクター３０側に生じた処理の停滞原因を把握することができるため、当該ユーザーが、コンピュータシステム全般の知識を有していれば、停滞原因に対する処置の方針を決定することができる。しかしながら、コンピュータシステム全般の知識を有していなければ、停滞原因に対する処置の方針を決定することができない場合がある。
【００７８】
従って、ＰＣ１０は、稼働状況に応じたメッセージをディスプレイ３００に表示するようにしてもよい。具体的には、例えば、ＰＣ１０は、上記各算出値（ＰＣ全体の負荷の算出値、ＰＣ全体の使用帯域の算出値、本アプリの負荷の算出値、電波強度の算出値、本アプリの使用帯域の算出値）、又は、上記各指標（例えば、指標１、指標２、指標３、指標４、指標５、指標３’、指標４’）の値の範囲とメッセージとを記憶するメッセージ記憶部（非図示）を更に備え、表示情報作成部１２６は、稼働状況に応じたメッセージを含む表示情報を作成するようにしてもよい。上記場合には、表示形式記憶部１２９は、メッセージの表示欄を含む表示形式（画面レイアウト情報）を記憶する。
【００７９】
図６は、メッセージ記憶部に記憶される情報の一例及び表示画面の一例である。メッセージ記憶部は、例えば図６（ａ）（ｂ）に示すように、各指標の値の組合せに対応付けてメッセージを記憶する。なお、図６（ａ）の「ａ」の値は大きくない値（例えば、６０未満）の範囲（例えば、０〜５０）、「ｂ」の値は非常に大きい値（例えば、８０以上）の範囲（例えば、８１〜１００）、「ｅ」の値はそれほど大きくはない値（例えば、７０未満）の範囲（例えば、０〜６９）、「ｆ」の値は大きくない値（例えば、６０未満）の範囲（例えば、０〜５０）、「ｇ」の値はそれほど大きくはない値（例えば、７０未満）の範囲（例えば、０〜６０）である。つまり、図６（ａ）（ｂ）の例は、『ＣＰＵ１００の負荷ではなく無線ネットワーク９０の混雑が原因でプロジェクターの処理が停滞し、かつ、アプリケーションプログラム１２０の通信による影響は少ないという判断が可能な各指標の値の組み合わせ』に対応付けて「他のプログラムによってネットワークが混雑しております。他のプログラムによる通信を一時的に控えて下さい。」というメッセージを記憶している。
【００８０】
表示情報作成部１２６は、図６（ａ）（ｂ）に示した情報がメッセージ記憶部に記憶されている場合に、計算した指標１の値が値「ａ」、計算した指標２の値が値「ｂ」、計算した指標４の値が値「ｅ」（又は、計算した指標４’の値が値「ｆ」）、計算した指標５の値が値「ｇ」であるときは、図６（ｃ）に示すような、「他のプログラムによってネットワークが混雑しております。他のプログラムによる通信を一時的に控えて下さい。」といったメッセージを含む表示画面を表示するための表示情報を作成する。
【００８１】
また、上記実施形態では、アプリケーションプログラム１２０を実行するＰＣ１０のディスプレイ３００に稼働状況に関する表示情報を表示したが、他の装置にて稼働状況に関する表示情報を表示してもよい。他の装置にて稼働状況に関する表示情報を表示する態様の場合、アプリケーションプログラム１２０は、表示情報作成部１２６及び表示形式記憶部１２９を備えなくてもよい。
【００８２】
例えば、他の装置に、アプリケーションプログラム１２０の表示情報作成部１２６及び表示形式記憶部１２９に相当する機能を具備させる。ＰＣ１０は、稼働状況に関する表示情報を作成する際に必要となる情報（算出値取得部１２４が取得した算出値、自使用帯域算出部１２５が算出した算出値等）を算出値記憶部１２８に記憶する。他の装置は、ネットワーク９０、９１、又は、記憶媒体（ＵＳＢ等）を介してＰＣ１０の算出値記憶部１２８に記憶されている情報を取得し、ＰＣ１０の表示情報作成部１２６と同様に、稼働状況に関する表示情報を作成し、当該他の装置の表示部に出力する。なお、ＣＰＵ１００の処理能力、ネットワークアダプター４００の通信能力、最大の電波強度の各値は、ＰＣ１０に記憶してもよいし、他の装置に記憶してもよい。
【００８３】
また、本発明の表示装置は、投影面に画像を投影するプロジェクターに限定されず、液晶表示パネルに画像を表示する液晶モニターまたは液晶テレビ、或いは、ＰＤＰ（プラズマディスプレイパネル）に画像を表示するモニター装置またはテレビ受像機、ＯＬＥＤ（Organic Light-emitting-diode）、ＯＥＬ（Organic Electro-Luminescence）等と呼ばれる有機ＥＬ表示パネルに画像を表示するモニター装置またはテレビ受像機等の自発光型の表示装置など、各種の表示装置も本発明の表示装置に含まれ、入力された画像信号に基づく画像をカラー表示することができる携帯型の表示装置も含まれる。）
【００８４】
以上、この発明の実施形態について詳述してきたが、具体的な構成はこの実施形態に限られるものではなく、この発明の要旨を逸脱しない範囲の設計等も含まれる。
【符号の説明】
【００８５】
１…画像転送システム  １０…パーソナルコンピューター  ２０…ネットワーク機器  ３０…プロジェクター  ９０…無線ネットワーク  ９１…有線ネットワーク  １００…ＣＰＵ  １１０…ＯＳ  １１１…全使用帯域算出部  １１２…負荷算出部  １１３…電波強度算出部  １２０…アプリケーションプログラム  １２１…指示受付部  １２２…データ生成部  １２３…データ送信部  １２４…算出値取得部  １２５…自使用帯域算出部  １２６…表示情報作成部  １２７…送信実績記憶部  １２８…算出値記憶部  １２９…表示形式記憶部  ２００…キーボード  ２１０…マウス  ３００…ディスプレイ  ４００…ネットワークアダプター  ９００…記憶部
【図１】
2013225803.tif 000003
【図２】
2013225803.tif 000004
【図３】
2013225803.tif 000005
【図４】
2013225803.tif 000006
【図５】
2013225803.tif 000007
【図６】
2013225803.tif 000008